(57)【要約】【課題】装置の簡略化を図ることができる配達物処理装置及び配達物処理システムを提供することである。【解決手段】実施形態の配達物処理装置は、読取部と、仕分制御部とを持つ。読取部は、配達物に備えられた電子タグから前記配達物の宛先を示す宛先情報と前記配達物に割り当てられた識別情報とを読み取る。仕分制御部は、前記読取部が読み取った前記宛先情報に対応する仕分け先を示す仕分け先情報と前記識別情報とを対応付けた情報を、前記配達物を仕分け先へ移動させる区分機に対して送信することにより仕分け先へ前記配達物を移動させるよう指示する。【選択図】図３
2015160165.tif 000002
【特許請求の範囲】
【請求項１】
配達物に備えられた電子タグから前記配達物の宛先を示す宛先情報と前記配達物に割り当てられた識別情報とを読み取る読取部と、
前記読取部が読み取った前記宛先情報に対応する仕分け先を示す仕分け先情報と前記識別情報とを対応付けた情報を、前記配達物を仕分け先へ移動させる区分機に対して送信することにより仕分け先へ前記配達物を移動させるよう指示する仕分制御部と、を備える配達物処理装置。
【請求項２】
前記電子タグに対して情報を書き込む書込部をさらに備え、
前記仕分制御部は、前記読取部が前記電子タグから読み取った情報に基づき、前記配達物の処理内容を決定し、決定した処理内容に対応する処理情報を前記電子タグに書き込むよう前記書込部を制御する請求項１に記載の配達物処理装置。
【請求項３】
前記仕分制御部は、宛先に対応する仕分け先を検索する検索部に対して前記読取部が読み取った前記宛先情報を送信し、前記宛先情報に対応する仕分け先を示す仕分け先情報を前記検索部から取得し、取得した前記仕分け先情報を前記区分機に送信する請求項１または２に記載の配達物処理装置。
【請求項４】
前記読取部が前記電子タグから前記識別情報を読み取るよりも前に、前記電子タグに前記識別情報が記憶されているか否かを判定し、前記電子タグに前記識別情報が記憶されていないと判定した場合、前記電子タグに対して前記識別情報を割り当てて、前記電子タグに書き込ませる付与部をさらに備える請求項１から３のうちいずれか一項に記載の配達物処理装置。
【請求項５】
前記仕分制御部は、前記電子タグに前記識別情報が記憶されていると判定した場合、前記読取部が前記電子タグから読み取った情報に基づき前記配達物の処理内容を決定する際の一部の処理を省略する請求項４に記載の配達物処理装置。
【請求項６】
前記仕分制御部は、前記配達物を測定する測定部の測定結果に基づき前記配達物の配達料を算出して、算出した前記配達料が、前記電子タグから読み取れられた配達料以下である場合に、消印に対応する情報を前記電子タグに書き込ませる請求項１から５のうちいずれか一項に記載の配達物処理装置。
【請求項７】
配達物に備えられた電子タグから読み取られた前記配達物の宛先を示す宛先情報に基づき、前記宛先情報に対応する仕分け先を検索する検索部と、
前記検索部が検索により得た仕分け先を示す仕分け先情報と前記配達物に割り当てられた識別情報とを対応付けた情報を、前記配達物を仕分け先へ移動させる区分機に対して送信することにより仕分け先へ前記配達物を移動させるよう指示する仕分制御部と、を備える配達物処理システム。
【請求項８】
配達物に備えられた電子タグから、前記配達物に割り当てられた識別情報と前記配達物の宛先を示す宛先情報とを読み取る第１読取部と、
前記第１読取部が前記宛先情報に対応する仕分け先を示す仕分け先情報と前記識別情報とを対応付けた情報を、前記配達物を仕分け先へ移動させる区分機に対して送信する仕分制御部と、
前記電子タグから前記識別情報を読み取る第２読取部を備え、前記仕分制御部から受信した情報に基づき、前記第２読取部が読み取った識別情報に対応付けられた仕分け先に前記配達物を移動させる前記区分機と、
を備える配達物処理システム。
【発明の詳細な説明】
【技術分野】
【０００１】
本発明の実施形態は、配達物処理装置及び配達物処理システムに関する。
【背景技術】
【０００２】
シート状の配達物に記載された住所を光学認識装置により読み取り、読み取った住所に応じた仕分け先に配達物を仕分ける仕分け装置がある。この種の仕分け装置は、光学認識装置に加え、住所等が記載された面を光学認識装置が読み取る位置となるように配達物を反転させる機構、消印を印刷する印刷機構、及び、読み取った情報を含むバーコードを配達物に印刷するバーコード印刷機構等をさらに備える。このように、光学認識により配達物を仕分ける場合、光学認識装置、反転機構、印刷機構等を搭載しなければならず装置が大型化してしまう。
【先行技術文献】
【特許文献】
【０００３】
【特許文献１】特開２００５−１９０１１８号公報
【発明の概要】
【発明が解決しようとする課題】
【０００４】
本発明が解決しようとする課題は、装置の簡略化を図ることができる配達物処理装置及び配達物処理システムを提供することである。
【課題を解決するための手段】
【０００５】
実施形態の配達物処理装置は、読取部と、仕分制御部とを持つ。読取部は、配達物に備えられた電子タグから前記配達物の宛先を示す宛先情報と前記配達物に割り当てられた識別情報とを読み取る。仕分制御部は、前記読取部が読み取った前記宛先情報に対応する仕分け先を示す仕分け先情報と前記識別情報とを対応付けた情報を、前記配達物を仕分け先へ移動させる区分機に対して送信することにより仕分け先へ前記配達物を移動させるよう指示する。
【図面の簡単な説明】
【０００６】
【図１】配達物の一例を示す図である。
【図２】配達物情報の一例を示す図である。
【図３】第１の実施形態の配達物処理システムの構成例を示すブロック図である。
【図４】区分指定ファイル３０３Ａの一例を示す図である。
【図５】第１の実施形態の配達物処理システムの処理例について説明するためのシーケンス図である。
【図６】配達物処理装置１０による配達物処理の一例について説明するためのフローチャートである。
【図７】第２の実施形態の配達物処理システムの構成例を示すブロック図である。
【図８】第２の実施形態の配達物処理システムの処理例について説明するためのシーケンス図である。
【発明を実施するための形態】
【０００７】
以下、実施形態の配達物処理システムを、図面を参照して説明する。
【０００８】
（第１の実施形態）
図１は、実施形態に係る配達物の一例を示す図である。実施形態に係る配達物処理システム１では、配達物として、例えば、シート状の郵便物Ｐが処理される。以下、配達物が郵便物Ｐである例について説明するが、配達物は郵便物Ｐに限られず、例えば、立体形状の小包であってもよく、宅配業者により配達されるものでもよい。
郵便物Ｐは、一部に電子タグＴを備える。電子タグＴは、予め郵便物Ｐに内蔵されていてもよく、シール等で後から貼り付けられてもよい。電子タグＴは、配達情報が記録されるメモリＭを備える。郵便物Ｐが投函される際、電子タグＴのメモリＭには、郵便物Ｐを宛先まで配達するための処理で利用される種々の情報（以下、配達物情報という）が記憶される。
【０００９】
次に、図２を参照して、電子タグＴのメモリＭに記憶される配達物情報の一例を説明する。図２は、実施形態に係る配達物情報の一例を示す図である。
配達物情報は、宛先、宛先郵便番号、宛先住所、配達料情報、消印、ＩＤコード等を含む。投函された郵便物Ｐの電子タグＴには、宛先、宛先郵便番号、宛先住所、及び配達料情報が記録されている。配達料情報等に基づき宛先へ配達することが配達物処理装置１０により決定された場合、電子タグＴの消印の欄に、使用済であることを示す消印情報が書き込まれる。配達物処理装置１０は、例えば、配達料情報が示す配達料が不足していない場合、宛先へ配達することを決定する。なお、投函された郵便物Ｐの電子タグＴには、配達物情報の消印の欄に、未使用であることを示す情報が書き込まれてもよい。配達物処理装置１０により郵便物Ｐを識別するための識別情報（ＩＤコード）が割り当てられた場合、電子タグＴのＩＤコードの欄に、割り当てられたＩＤコードが書き込まれる。
【００１０】
次に、図３を参照して、実施形態に係る配達物処理システム１の構成例について説明する。図３は、実施形態に係る配達物処理システム１の構成例を示すブロック図である。
配達物処理システム１は、配達物処理装置１０と、区分機２０と、検索装置３０とを備える。配達物処理装置１０は、それぞれネットワークを介して、区分機２０及び検索装置３０と接続されている。配達物処理装置１０と区分機２０とは、郵便物Ｐが搬送される搬送路Ｒで接続されている。搬送路Ｐは、配達物処理装置１０内の搬送路Ｒ１と、区分機２０内の搬送路Ｒ２とを含む。
【００１１】
配達物処理装置１０は、郵便物Ｐの電子タグＴから配達物情報を読み出し、配達物情報に含まれる宛先を示す情報（以下、宛先情報という）を検索装置３０に出力する。検索装置３０は、配達物処理装置１０から入力する宛先情報に基づき、仕分け先を検索して、検索により得た仕分け先を示す情報（以下、仕分け先情報という）を配達物処理装置１０に出力する。
次いで、配達物処理装置１０は、検索装置３０から入力する仕分け先情報に基づき、郵便物Ｐを仕分け先へ移動するよう区分機２０に指示する。配達物処理装置１０は、郵便物Ｐを搬送路Ｒ１から搬送路Ｒ２に排出する。区分機２０は、配達物処理装置１０からの指示に基づき、配達物処理装置１０から受け取った郵便物Ｐを搬送路Ｐ２に沿って搬送し、決定された仕分け先へ移動させる。
このようにして、配達物処理システム１は、電子タグＴから読み取られた宛先情報に基づき、郵便物Ｐの宛先に対応する仕分け先に郵便物Ｐが仕分けることができる。
【００１２】
配達物処理装置１０は、供給部１０１と、搬送機構１０２と、ＩＤコード書込部１０３と、読取部１０４と、撮影部１０５と、重量測定部１０６と、書込部１０７と、ラベル貼付部１０８と、通信部１０９と、制御部１１０とを備える。搬送路Ｒ１の上流側から下流側に向かって、読取部１０４、撮影部１０５、重量測定部１０６、書込部１０７、及びラベル貼付部１０８が、この順番に並んで配置されている。
【００１３】
供給部１０１は、投入された複数の郵便物Ｐから一通ずつ郵便物Ｐを取り出し、搬送路Ｒ１に排出する。供給部１０１は、搬送路Ｒ１に郵便物Ｐが一通ずつ排出されたかどうかを検出するセンサー１０１Ａを備え、センサー１０１Ａの検出結果を制御部１１０に出力する。搬送機構１０２は、供給部１０１が取り出した郵便物Ｐを一通ずつ、搬送路Ｒ１に沿って搬送し、区分機２０の搬送路Ｒ２に排出する。ＩＤコード書込部１０３は、所定の書込位置に到達した郵便物Ｐの電子タグＴに対して、制御部１１０により割り振られたＩＤコードを書き込む。
【００１４】
読取部１０４は、ＩＤコード書込部１０３による所定の書込位置よりも搬送方向の下流側である所定の読取位置に到達した郵便物Ｐから配達物情報を読み取り、制御部１１０に出力する。撮影部１０５は、読取部１０４により配達物情報が読み取られた郵便物Ｐを撮影し、撮影した画像のデータを制御部１１０に出力する。重量測定部１０６は、読取部１０４により配達物情報が読み取られた郵便物Ｐの重量を測定し、測定した重量を示す情報を制御部１１０に出力する。なお、撮影部１０５と重量測定部１０６とは、読取部１０４により情報が読み取られる所定の読取位置に電子タグＴが到達した郵便物Ｐを撮影し、又は、所定の読取位置に到達した郵便物Ｐの重量を測定する位置に設けられている。撮影部１０５と重量測定部１０６とは、郵便物Ｐを測定する測定部の一例である。
【００１５】
書込部１０７は、制御部１１０からの指示に基づき、処理情報を電子タグＴに書き込む。処理情報とは、郵便物Ｐを宛先まで配達するまでの処理に関する情報である。処理内容は、電子タグＴの配達物情報に基づき制御部１１０により決定される。実施形態において、この処理には、例えば、郵便物Ｐ１の電子タグＴに消印情報を書き込むこと、郵便物Ｐ１の電子タグＴに配達料不足を示す情報を書き込むこと、郵便物Ｐ１の電子タグＴに転送先に転送すること等が含まれる。
ラベル貼付部１０８は、制御部１１０からの指示に基づき、所定の情報をラベルに印刷して、印刷したラベルを郵便物Ｐに貼り付ける。実施形態において、ラベル貼付部１０８は、配達物処理装置１０が設置された局から直接宛先の住所まで配送される郵便物Ｐに対して、ラベルを貼り付ける。通信部１０９は、制御部１１０から出力された情報を区分機２０又は検索装置３０に送信し、区分機２０又は検索装置３０から受信した情報を制御部１１０に出力する。
【００１６】
制御部１１０は、例えば、ＣＰＵ（Central Processing Unit）であって、配達物処理装置１０の動作を統括的に制御する制御部である。配達物処理装置１０は、ＣＰＵである制御部１１０がプログラムを実行することにより機能する機能部として、ＩＤコード付与部１０１１と、仕分制御部１０１２と、搬送制御部１０１３と、を備える。これら機能部の一部又は全部は、ＬＳＩ（Large Scale Integration）やＡＳＩＣ（Application Specific Integrated Circuit）などのハードウェア機能部であってもよい。
【００１７】
ＩＤコード付与部１０１１は、供給部１０１から搬送路Ｒ１に郵便物Ｐが排出されたことを示す検出結果を入力した場合、排出された郵便物Ｐに対して、ＩＤコードを割り当てる。ＩＤコード付与部１０１１は、割り当てたＩＤコードをＩＤコード書込部１０３に出力し、郵便物Ｐの電子タグＴにＩＤコードを書き込むよう指示する。ＩＤコード付与部１０１１は、例えば、配達物処理装置１０の中で郵便物Ｐを識別できる識別情報として、ＩＤコードを割り当てる。なお、識別情報の発行数には限りがあるため、所定期間（例えば、数週間、数か月）が経過した後、ＩＤコード付与部１０１１は、以前に割り当てたＩＤコードと同じ値を再び異なる郵便物Ｐに割り当ててもよい。
【００１８】
仕分制御部１０１２は、読取部１０４により読み取られた宛先情報に対応する仕分け先情報を検索装置３０から取得し、区分機２０に対して、検索装置３０から取得した仕分け先へ郵便物Ｐを移動させるよう指示する。実施形態において、仕分制御部１０１２は、郵便物Ｐに割り当てられたＩＤコードを用いて、区分機２０に対して郵便物Ｐの仕分け先を指示する。
仕分制御部１０１２は、読取部１０４が電子タグＴから読み取った情報に基づき、郵便物Ｐの処理内容を決定し、決定した処理内容を示す処理情報を電子タグＴに書き込むよう、書込部１０７を制御する。
【００１９】
搬送制御部１０１３は、所定の搬送スピードで郵便物Ｐを搬送するよう搬送機構１０２を制御する。搬送制御部１０１３は、郵便物Ｐを搬送する搬送スピード等を示す情報を仕分制御部１０１２に出力してもよい。
【００２０】
区分機２０は、通信部２０１と、区分制御部２０２と、搬送機構２０３と、スタッカ２０４と、読取部２０５とを備える。
通信部２０１は、配達物処理装置１０から受信した情報を区分制御部２０２に出力する。読取部２０５は、配達物処理装置１０から受け取った郵便物ＰからＩＤコードを読み取り、制御部１１０に出力する。区分制御部２０２は、配達物処理装置１０から受信した情報と、読取部２０５が読み取った情報とに基づき搬送機構２０３を制御して、決められた仕分け先に郵便物Ｐを移動させる。搬送機構２０３は、配達物処理装置１０から排出された郵便物Ｐを搬送路Ｒ２に沿って搬送し、区分制御部２０２によって指示されたスタッカ２０４の仕分け先に排出する。スタッカ２０４は、例えば宛先に応じて区分された複数の収容部を備える。搬送路Ｒ２は、複数の収容部に郵便物Ｐを搬送するため複数の搬送路に分岐されている。実施形態において、スタッカ２０４には、各収容部を識別するための識別情報（以下、スタッカＩＤという）が割り当てられている。
区分制御部２０２は、仕分けを行う郵便物ＰからＩＤコードを読み取り、検索装置３０から受信した情報の中から、読取部２０５が読み取ったＩＤコードと対応付けられた仕分け先情報（スタッカＩＤ）を取得し、取得したスタッカＩＤが割り当てられている収容部へ郵便物Ｐを移動させる。
【００２１】
検索装置３０は、通信部３０１と、検索部３０２と、記憶部３０３とを備える。
通信部３０１は、配達物処理装置１０から受信した情報を検索部３０２に出力し、検索部３０２から入力する情報を配達物処理装置１０に送信する。検索部３０２は、通信部３０１を介して配達物処理装置１０から受信した宛先情報に基づき、記憶部３０３を参照して、宛先に対応する仕分け先情報を検索する。検索部３０２は、検索により宛先情報に対応する仕分け先情報を得た場合、通信部３０１を介して検索により得られた仕分け先情報を配達物処理装置１０に送信する。記憶部３０３には、住所と仕分け先情報とが対応付けられた区分指定ファイル３０３Ａが記憶されている。
【００２２】
次に、図４を参照して、区分指定ファイル３０３Ａの一例について説明する。図４は、区分指定ファイル３０３Ａの一例を示す図である。
区分指定ファイル３０３Ａは、住所と仕分け先情報とを対応付けたテーブルである。実施形態において、仕分け先情報は、スタッカＩＤである。
【００２３】
次に、図５を参照して、実施形態に係る配達物処理システム１による配達物処理の一例について説明する。図５は、実施形態に係る配達物処理システム１による配達物処理の一例について説明するためのシーケンス図である。
配達物処理装置１０は、読取部１０４が読み取った配達物情報に含まれる宛先情報とＩＤコードとを対応付けた情報を、検索装置３０に送信する（ステップＳＴ１）。
検索装置３０は、配達物処理装置１０から受信した宛先情報に基づき、区分指定ファイル３０３Ａを参照して、宛先情報に対応するスタッカＩＤを検索する（ステップＳＴ２）。
【００２４】
宛先情報に対応するスタッカＩＤを検索で得た場合（ステップＳＴ３：ＹＥＳ）、検索装置３０は、ＩＤコードとスタッカＩＤとを対応付けた情報を、配達物処理装置１０に送信する（ステップＳＴ４）。
配達物処理装置１０は、ＩＤコードとスタッカＩＤとを対応付けた情報を検索装置３０から受信する（ステップＳＴ５）。そして、配達物処理装置１０は、ＩＤコードとスタッカＩＤとを対応付けた情報を区分機２０に送信して、ＩＤコードに対応する郵便物ＰをスタッカＩＤが示す収容部に仕分けるよう指示する（ステップＳＴ６）。
区分機２０は、受信したＩＤコードとスタッカＩＤとを対応付けた情報と、読取部２０５が読み取ったＩＤコードとに基づき、ＩＤコードに対応する郵便物ＰをスタッカＩＤが示す収容部へ移動させる（ステップＳＴ７）。
【００２５】
宛先情報に対応するスタッカＩＤを検索で得られない場合（ステップＳＴ３：ＮＯ）、検索装置３０は、ＩＤコードとリジェクト情報とを対応付けた情報を、配達物処理装置１０に送信する（ステップＳＴ８）。リジェクト情報とは、郵便物Ｐを所定の排除箱へ移動させること示す情報である。
配達物処理装置１０は、ＩＤコードとリジェクト情報とを対応付けた情報を検索装置３０から受信する（ステップＳＴ９）。そして、配達物処理装置１０は、ＩＤコードとリジェクト情報とを対応付けた情報を区分機２０に送信して、ＩＤコードに対応する郵便物Ｐを排除箱に仕分けるよう指示する（ステップＳＴ１０）。
区分機２０は、受信したＩＤコードとリジェクト情報とを対応付けた情報と、読取部２０５が読み取ったＩＤコードとに基づき、ＩＤコードに対応する郵便物Ｐを排除箱へ移動させる（ステップＳＴ１１）。
【００２６】
次に、図６を参照して、実施形態に係る配達物処理装置１０による配達物処理の一例について説明する。図６は、実施形態に係る配達物処理装置１０による配達物処理の一例について説明するためのフローチャートである。
例えば、供給部１０１が、投入された複数の郵便物Ｐの中から郵便物Ｐ１を取り出し、搬送路Ｒ１に排出したとする。郵便物Ｐ１が排出されることにより、供給部１０１のセンサー１０１Ａは、郵便物Ｐ１を検出し、検出結果を制御部１１０に出力する。
ＩＤコード付与部１０１１は、供給部１０１のセンサー１０１Ａの出力に基づき、郵便物Ｐを検出したか否かを判定する（ステップＳＴ１０１）。
ＩＤコード付与部１０１１は、供給部１０１のセンサー１０１Ａの出力に基づき、郵便物Ｐ１を検出したと判定した場合（ステップＳＴ１０１：ＹＥＳ）、郵便物Ｐ１に対して例えばＩＤコード：「００１」を割り当て、郵便物Ｐ１の電子タグＴにＩＤコード：「００１」を書き込むようＩＤコード書込部１０３を制御する（ステップＳＴ１０２）。
【００２７】
仕分制御部１０１２は、読取位置を通過する郵便物Ｐの電子タグＴから配達物情報を読み取るよう読取部１０４を制御する（ステップＳＴ１０３）。読取部１０４は、仕分制御部１０１２の制御に従い、読取位置を通過する郵便物Ｐ１から配達物情報を読み取り、仕分制御部１０１２に出力する。
仕分制御部１０１２は、電子タグＴから読み取った配達物情報を、検索装置３０に送信する（ステップＳＴ１０４）。
仕分制御部１０１２は、読取位置を通過する郵便物Ｐを撮影するよう撮影部１０５を制御する（ステップＳＴ１０５）。撮影部１０５は、仕分制御部１０１２の制御に従い、読取位置を通過する郵便物Ｐを撮影し、撮影した画像のデータを仕分制御部１０１２に出力する。
さらに、仕分制御部１０１２は、読取位置を通過する郵便物Ｐの重量を測定するよう重量測定部１０６を制御する（ステップＳＴ１０６）。重量測定部１０６は、仕分制御部１０１２の制御に従い、読取位置を通過する郵便物Ｐの重量を測定し、測定した重量を示す情報を仕分制御部１０１２に出力する。
【００２８】
次いで、仕分制御部１０１２は、郵便物Ｐ１の電子タグＴから読み取った情報に基づき、郵便物Ｐ１の処理内容を決定し、決定した処理内容を示す処理情報を電子タグＴに書き込ませる。
例えば、仕分制御部１０１２は、ステップＳＴ１０４で取得した画像データに基づき郵便物Ｐ１のサイズを算出した後、郵便物Ｐ１のサイズと、ステップＳＴ１０５で取得した郵便物Ｐ１の重量とに基づき、郵便物Ｐ１の配達料を算出する（ステップＳＴ１０７）。
仕分制御部１０１２は、算出した郵便物Ｐ１の配達料と配達物情報とに基づき、郵便物Ｐ１の配達料が不足しているか否かを判定する（ステップＳＴ１０８）。実施形態では、算出した郵便物Ｐ１の配達料が、ステップＳＴ１０３で取得した配達物情報に含まれる配達料以下である場合に、仕分制御部１０１２は、郵便物Ｐ１の配送料が不足していないと判定する。
【００２９】
郵便物Ｐ１の配達料が不足していないと判定した場合（ステップＳＴ１０８：ＮＯ）、仕分制御部１０１２は、消印に対応する情報（消印情報）を郵便物Ｐ１の電子タグＴに書き込むよう書込部１０７を制御する（ステップＳＴ１０９）。つまり、仕分制御部１０１２は、郵便物Ｐ１に対して消印情報を書き込む処理を実行すると判定し、処理情報として消印情報を電子タグＴに書き込ませる。
一方、算出した郵便物Ｐ１の配達料が、ステップＳＴ１０３で取得した配達物情報に含まれる配達料を超えている場合に、仕分制御部１０１２は、郵便物Ｐ１の配送料が不足していると判定する（ステップＳＴ１０８：ＹＥＳ）。この場合、仕分制御部１０１２は、配達料不足であることを示す情報を郵便物Ｐ１の電子タグＴに書き込むよう書込部１０７を制御する（ステップＳＴ１１０）。つまり、仕分制御部１０１２は、郵便物Ｐ１に対して配達料不足を示す情報を書き込む処理を実行すると判定し、処理情報として配達料不足であることを示す情報を電子タグＴに書き込ませる。
【００３０】
次いで、仕分制御部１０１２は、郵便物Ｐ１の電子タグＴから読み出した情報に基づき、ラベルを貼り付けるか否かを判定する（ステップＳＴ１１１）。実施形態では、転送検索用のデータベース（図示せず）を参照して、所定の転送先に転送することが決められている住所を郵便物Ｐ１の電子タグＴから読み出した場合、仕分制御部１０１２は、決められている転送先の住所を印刷したラベルを発行して貼り付けると判定する。
ラベルを貼り付けると判定した場合（ステップＳＴ１１１：ＹＥＳ）、仕分制御部１０１２は、転送先を印刷したラベルを郵便物Ｐ１の所定の位置に貼り付けるようラベル貼付部１０８を制御する（ステップＳＴ１１２）。なお、仕分制御部１０１２は、郵便物Ｐ１に対して所定の転送先に転送する処理を実行すると判定し、処理情報として所定の転送先の住所を示す情報を電子タグＴに書き込ませてもよい。
【００３１】
（第２の実施形態）
次に、図７，８を参照して、第２の実施形態について説明する。本実施形態に係る配達物処理システム１Ａは、検索装置３０Ａが区分機２０に対して仕分け先を指示する点を除いては、第１の実施形態に係る配達物処理システム１と概ね同じ構成を有している。
図７は、実施形態に係る配達物処理システム１Ａの構成例を示すブロック図である。検索装置３０Ａは、それぞれネットワークを介して、配達物処理装置１０及び区分機２０と接続されている。検索装置３０Ａは、仕分制御部３０４を備える。仕分制御部３０４は、検索部３０２の検索結果に基づき、郵便物Ｐの仕分け先を制御する。
【００３２】
図８は、実施形態に係る配達物処理システム１Ａによる配達物処理の一例について説明するためのシーケンス図である。
配達物処理装置１０は、読取部１０４が読み取った配達物情報に含まれる宛先情報とＩＤコードとを対応付けた情報を、検索装置３０Ａに送信する（ステップＳＴ２１）。
検索装置３０Ａの検索部３０２は、配達物処理装置１０から受信した宛先情報に基づき、区分指定ファイル３０３Ａを参照して、宛先情報に対応するスタッカＩＤを検索する（ステップＳＴ２２）。
【００３３】
宛先情報に対応するスタッカＩＤを検索で得た場合（ステップＳＴ２３：ＹＥＳ）、検索装置３０Ａの仕分制御部３０４は、ＩＤコードとスタッカＩＤとを対応付けた情報を、区分機２０に送信して、ＩＤコードに対応する郵便物ＰをスタッカＩＤが示す収容部に仕分けるよう指示する（ステップＳＴ２４）。
区分機２０は、受信したＩＤコードとスタッカＩＤとを対応付けた情報と、読取部２０５が読み取ったＩＤコードとに基づき、ＩＤコードに対応する郵便物ＰをスタッカＩＤが示す収容部へ移動させる（ステップＳＴ２５）。
【００３４】
宛先情報に対応するスタッカＩＤを検索で得られない場合（ステップＳＴ２３：ＮＯ）、検索装置３０Ａの仕分制御部３０４は、ＩＤコードとリジェクト情報とを対応付けた情報を、区分機２０に送信して、ＩＤコードに対応する郵便物Ｐを排除箱に仕分けるよう指示する（ステップＳＴ２６）。
区分機２０は、受信したＩＤコードとリジェクト情報とを対応付けた情報と、読取部２０５が読み取ったＩＤコードとに基づき、ＩＤコードに対応する郵便物Ｐを排除箱へ移動させる（ステップＳＴ２７）。
【００３５】
上記各実施形態において、読取部１０４と書込部１０７とは別構成として説明したが、一体的に設けられるモジュールでもよい。読取部１０４は、定期的にコマンドを出力して、コマンドを受信できる所定の読取位置に到達した電子タグＴから応答信号を受信することで、所定の情報を読み取る構成でもよい。書込部１０７は、定期的にコマンドを出力して、コマンドを受信できる所定の書込位置に到達した電子タグＴから応答信号を受信することで、所定の情報を書き込む構成でもよい。
【００３６】
上記各実施形態において、仕分制御部１０１２は、サイズと重量に基づき配達料を算出する例について説明したが、これに限られない。例えば、仕分制御部１０１２は、郵便物Ｐの厚さや種類を測定する測定部の測定結果に基づき、配達料を算出してもよい。また、仕分制御部１０１２は、電子タグＴから読み出し配達物情報に含まれる情報に基づき、郵便物Ｐの配達料を算出してもよい。
【００３７】
上記各実施形態において、ＩＤコード付与部１０１１は、全ての郵便物Ｐに対してＩＤコードを割り当てる例を説明したが、これに限られない。ＩＤコード付与部１０１１は、読取部１０４が電子タグＴからＩＤコードを読み取るよりも前に、電子タグＴにＩＤコードが記憶されているか否かを判定する。ＩＤコード付与部１０１１は、電子タグＴにＩＤコードが記憶されていないと判定した場合、電子タグＴに対してＩＤコードを割り当てて、電子タグＴに書き込ませる。電子タグＴにＩＤコードが書き込まれている場合、ＩＤコード付与部１０１１は、既に配達物処理装置１０により処理された郵便物Ｐであると判定し得る。これにより、ＩＤコード付与部１０１１は、既に配達物処理装置１０により処理された郵便物Ｐであるか否かを判定し、判定結果に応じて異なる処理を実行することができる。
【００３８】
また、ＩＤコード付与部１０１１が電子タグＴにＩＤコードが記憶されていないと判定した場合、仕分制御部１０１２は、読取部１０４が電子タグＴから読み取った配達物情報に基づき郵便物Ｐの処理内容を決定する際の一部の処理を省略してもよい。例えば、既にＩＤコードが記憶されている場合、消印情報、配送料不足を示す情報、転送先を示す情報等が電子タグＴに書き込まれている可能性がある。この場合、仕分制御部１０１２は、配送料を算出する処理や、転送先の有無を判定する処理等を省略することができる。これにより、配達物処理装置１０による処理効率を向上することができる。
【００３９】
以上説明した少なくともひとつの実施形態によれば、読取部１０４により読み取られた宛先情報に対応する仕分け先を示す情報を区分機２０に送信し、所定の仕分け先へ郵便物Ｐを移動させるよう指示する仕分制御部１０１２を持つことにより、電子タグＴを用いて郵便物Ｐを仕分けることができ、装置の簡略化を図ることができる。また、電子タグＴに書き込まれた情報を利用して、効率的な自動処理を行うことができる。
【００４０】
また、読取部１０４は、郵便物Ｐに割り当てられたＩＤコードを郵便物Ｐから読み取り、仕分制御部１０１２は、スタッカＩＤとＩＤコードとを対応付けた情報を区分機２０に出力することにより仕分け先へ郵便物Ｐを移動させるよう指示する。区分機２０は、配達物処理装置１０から受信したスタッカＩＤとＩＤコードとを対応付けた情報と、読取部２０５が読み出したＩＤコードとに基づき、郵便物ＰをスタッカＩＤが示す収容部に移動させる。このように、配達物処理装置１０と区分機２０とは、郵便物ＰにＩＤコードを割り当てて郵便物Ｐを管理することにより、複数の郵便物Ｐを連続して処理することが可能である。
【００４１】
また、仕分制御部１０１２は、読取部１０４が電子タグＴから読み取った情報に基づき、郵便物Ｐの処理内容を決定し、決定した処理内容に対応する処理情報を電子タグＴに書き込ませる。郵便物Ｐの電子タグＴは、郵便物Ｐを宛先まで配達するまでの処理に関する情報を電子タグＴが記憶している。これにより、例えば郵便物Ｐが異なる郵便局等に移され配達物処理装置１０による情報を共有できない環境であっても、各郵便物Ｐについて決定された処理内容を利用して、郵便物Ｐを配達することができる。また、郵便物Ｐの処理内容を何度も決定する必要がなくなり、異なる郵便局等に移された場合に、再度、処理内容を決定する手間が省ける。例えば、郵便物Ｐが集められたＡ局からＢ局に移された後にＢ局から宛先の住所まで配達される場合、Ａ局の配達物処理装置１０により処理された結果は電子タグＴに記憶されているため、Ｂ局の配達物処理装置１０で再び処理内容を決定する手間が省ける。
【００４２】
また、仕分制御部１０１２は、郵便物Ｐを測定する測定部の測定結果に基づき郵便物Ｐの配達料を算出して、算出した郵便物Ｐが配達料情報の示す配達料以下である場合に消印に対応する情報を電子タグＴに書き込ませる。これにより、消印情報を含むバーコードを印刷する印刷機構を省略することができ、配達物処理装置１０の簡略化を図ることができる。
【００４３】
また、仕分制御部１０１２は、読取部１０４が電子タグＴから読み取った情報に基づき郵便物Ｐを排除すると決定した場合、区分機２０に対して予め決められた排除券箱（リジェクト部）へ郵便物Ｐを移動させるよう指示する。これにより、配達物処理装置１０は、仕分けができない郵便物Ｐであっても、区分機２０に区分させることができる。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
Ｐ…郵便物、Ｔ…電子タグ、Ｍ…メモリ、１…配達物処理システム、１Ａ…配達物処理システム、１０…配達物処理装置、２０…区分機、３０…検索装置、３０Ａ…検索装置、１０１…供給部、１０１Ａ…センサー、１０２…搬送機構、１０３…ＩＤコード書込部、１０４…読取部、１０５…撮影部、１０６…重量測定部、１０７…書込部、１０８…ラベル貼付部、１０９…通信部、１１０…制御部、２０１…通信部、２０２…区分制御部、２０３…搬送機構、２０４…スタッカ、３０１…通信部、３０２…検索部、３０３…記憶部、３０３Ａ…区分指定ファイル、３０４…仕分制御部、１０１１…ＩＤコード付与部、１０１２…仕分制御部、１０１３…搬送制御部
【図１】
2015160165.tif 000003
【図２】
2015160165.tif 000004
【図３】
2015160165.tif 000005
【図４】
2015160165.tif 000006
【図５】
2015160165.tif 000007
【図６】
2015160165.tif 000008
【図７】
2015160165.tif 000009
【図８】
2015160165.tif 000010